(57)【特許請求の範囲】
【請求項１】
空調装置が設置される機械室と、前記空調装置による空調対象となる複数の屋内空間とを備える建物に適用され、前記空調装置が前記機械室内の空気を取り込んで空調空気を生成し、該生成した空調空気を、前記複数の屋内空間ごとに設けられる複数の通気ダクトを介してそれら各屋内空間に供給する建物の空調システムであって、
前記複数の通気ダクトのうち少なくともいずれかには、前記機械室に通じる分岐ダクトが接続されており、前記通気ダクトにおいて前記分岐ダクトが分岐する分岐部には、少なくとも前記空調空気を前記分岐ダクト側に流すか流さないかを切り替える切替手段が設けられており、
前記空調装置を運転状態にして前記複数の屋内空間への空調空気の供給を実施する場合において、前記通気ダクトを介しての前記屋内空間への空調空気の供給に並行して、前記分岐ダクトを介しての前記機械室への空調空気の供給を実施するものであり、
少なくとも前記空調装置による前記複数の屋内空間の空調の開始当初において、前記切替手段を制御対象として、前記空調装置から供給される空調空気を前記分岐ダクト側に流す制御を実施する制御手段を備えることを特徴とする建物の空調システム。
【請求項２】
前記通気ダクトを介して前記複数の屋内空間に供給した空調空気を、当該各屋内空間と前記機械室とにそれぞれ設けられた通気部を介して前記機械室に還流させる還流経路を有することを特徴とする請求項１に記載の建物の空調システム。
【請求項３】
前記複数の屋内空間には居室空間と非居室空間とが含まれており、
前記居室空間と前記非居室空間とのうち非居室空間に接続される前記通気ダクトに、前記分岐ダクトが接続されていることを特徴とする請求項１又は２に記載の建物の空調システム。
【請求項４】
前記複数の通気ダクトのうち２以上の屋内空間用の各通気ダクトにそれぞれ前記分岐ダクトが接続され、それら各分岐ダクトの分岐部には前記切替手段がそれぞれ設けられており、それら各切替手段は個別の切替操作が可能となっていることを特徴とする請求項１乃至３のいずれか一項に記載の建物の空調システム。
【請求項５】
前記通気ダクトを介して前記複数の屋内空間に供給した空調空気を、当該各屋内空間にそれぞれ設けられた通気部を介して還気中継室に取り込むとともに、その還気中継室から前記機械室に還流させる還流経路を有する建物の空調システムであって、
前記複数の屋内空間には空調の優先順位があらかじめ定められており、
その優先順位が上位となる屋内空間には、前記還気中継室を経由する還流経路が設けられておらず、当該優先上位の屋内空間から前記機械室に空調空気を直接還流させる還流経路が設けられていることを特徴とする請求項１乃至４のいずれか一項に記載の建物の空調システム。
【請求項６】
前記複数の屋内空間における目標温度を設定する目標設定手段と、
前記複数の屋内空間の少なくともいずれかに設けられ、該屋内空間内における実温度を検出する温度検出手段と、
を備え、
前記制御手段は、前記目標設定手段により設定した目標温度と、前記温度検出手段により検出した屋内空間内の実温度との温度差が所定値以上である場合に、前記切替手段を、前記空調空気を前記分岐ダクト側に流す状態とすることを特徴とする請求項１乃至５のいずれか一項に記載の建物の空調システム。
【請求項７】
前記複数の屋内空間における目標温度を設定する目標設定手段と、
前記複数の屋内空間の少なくともいずれかに設けられ、該屋内空間内における実温度を検出する温度検出手段と、
前記空調装置による前記複数の屋内空間の空調の開始時において、前記目標設定手段により設定した目標温度と、前記温度検出手段により検出した屋内空間内の実温度との温度差に基づいて、前記切替手段を、前記空調空気を前記分岐ダクト側に流す状態とする操作時間を設定する設定手段と、
を備え、
前記制御手段は、前記設定手段により設定した操作時間に基づいて、前記切替手段を、前記空調空気を前記分岐ダクト側に流す状態とすることを特徴とする請求項１乃至５のいずれか一項に記載の建物の空調システム。
【請求項８】
前記複数の屋内空間についてそれら各屋内空間での人の有無を検出する人検出手段を備え、
前記制御手段は、前記人検出手段により人有りと検出された屋内空間を、前記機械室への空調空気の供給に伴う空調空気の供給制限が行われない非制限空間とするとともに、前記人検出手段により人無しと検出された屋内空間を、前記機械室への空調空気の供給に伴う空調空気の供給制限が行われる制限空間とし、その制限空間について、前記切替手段を、前記空調空気を前記分岐ダクト側に流す状態とすることを特徴とする請求項１乃至７のいずれか一項に記載の建物の空調システム。
【発明の詳細な説明】
【技術分野】
【０００１】
本発明は、建物における複数の屋内空間を空調対象として共通の空調装置により空調を実施する建物の空調システムに関するものである。
【背景技術】
【０００２】
従来より、住宅等の建物において、少なくとも同一階の空調を共通の空調装置で実施する、いわゆるセントラル空調システム（全館空調システム）が提案されている。例えば特許文献１の空調システムでは、住宅内の複数のゾーンに対応した温度制御を安価な構成で実現すべく、空調室内機の吹出側に接続されたプレナムに、ダクト接続口への風路面積を総面積は変えず各々の面積比率を変更自在なスライド式シャッタを設けた構成が記載されている。かかる空調システムでは、各ゾーンの熱負荷に見合った風量を送風することで、室温を安定的に制御できるようにしていた。
【先行技術文献】
【特許文献】
【０００３】
【特許文献１】特開平１０−２６７３２０号公報
【発明の概要】
【発明が解決しようとする課題】
【０００４】
しかしながら、上記特許文献１の空調システムは、住宅内の各ゾーンについて風量をゾーンごとに振り分けて調整するものであり、例えば冷房時に冷房能力を高めたいゾーンは風量を大きくし、そうでないゾーンは風量を小さくするようにして風量の調整が行われる。この場合、各ゾーンのうち冷房能力や暖房能力を高めたいゾーンは、風量大とした状態を維持しなくてはならず、そのゾーン内の部屋等にいる人にとって快適感が損なわれることが生じ得ると懸念される。
【０００５】
本発明は、上記事情に鑑みてなされたものであり、複数の屋内空間を空調対象とする空調システムにおいて屋内空間の空調を好適に実施することができる建物の空調システムを提供することを主たる目的とするものである。
【課題を解決するための手段】
【０００６】
以下、上記課題を解決するのに有効な手段等につき、必要に応じて作用、効果等を示しつつ説明する。
【０００７】
第１の発明は、
空調装置が設置される機械室と、前記空調装置による空調対象となる複数の屋内空間とを備える建物に適用され、前記空調装置が前記機械室内の空気を取り込んで空調空気を生成し、該生成した空調空気を、前記複数の屋内空間ごとに設けられる複数の通気ダクトを介してそれら各屋内空間に供給する建物の空調システムであって、
前記複数の通気ダクトのうち少なくともいずれかには、前記機械室に通じる分岐ダクトが接続されており、前記通気ダクトにおいて前記分岐ダクトが分岐する分岐部には、少なくとも前記空調空気を前記分岐ダクト側に流すか流さないかを切り替える切替手段が設けられており、
前記空調装置を運転状態にして前記複数の屋内空間への空調空気の供給を実施する場合において、前記通気ダクトを介しての前記屋内空間への空調空気の供給に並行して、前記分岐ダクトを介しての前記機械室への空調空気の供給を実施することを特徴とする。
【０００８】
上記構成の空調システムでは、空調として冷房が実施される場合において、通気ダクトを介していずれかの屋内空間に冷房空気が供給されてその屋内空間が冷やされるのに並行して、すなわちこれと同時期に、分岐ダクトを介して機械室に冷房空気が供給されて機械室が冷やされる。又は、空調として暖房が実施される場合において、通気ダクトを介していずれかの屋内空間に暖房空気が供給されてその屋内空間が暖められるのに並行して、すなわちこれと同時期に、分岐ダクトを介して機械室に暖房空気が供給されて機械室が暖められる。
【０００９】
そのため、機械室内の空気により空調空気を生成する空調装置では、冷房時において冷房空気を効率よく冷やすことができ、一方、暖房時において暖房空気を効率よく暖めることができる。例えば冷房時において、同じ熱交換率であっても、空調装置に取り込まれる空気（空調装置を通過する空気）が比較的高温であれば空調空気が冷えにくいのに対し、同空気が比較的低温であれば空調空気が冷えやすくなる。したがって、通気ダクトを介しての空調空気の供給が実施される屋内空間を、所望の温度に速やかに冷やす（又は暖める）ことが可能となる。この場合、空調装置における冷房又は暖房の効率自体が高められているため、空調空気の風量を大きくしなくても、すなわち風量一定としたままで、空調空気の供給先である屋内空間について所望の空調を実現できる。また、上記構成では、分岐ダクトの分岐部に設けられた切替手段によって、空調空気を分岐ダクト側に流すか流さないかを切り替えることができる。そのため、各屋内空間が所望の温度になった後は、分岐ダクトを閉じてその分岐ダクト側に空調空気を流さないようにすることで、全ての屋内空間について同等性能の空調を実施することが可能となる。以上により、複数の屋内空間を空調対象とする空調システムにおいて屋内空間の空調を好適に実施することができる。
【００１０】
第２の発明は、前記通気ダクトを介して前記複数の屋内空間に供給した空調空気を、当該各屋内空間と前記機械室とにそれぞれ設けられた通気部を介して前記機械室に還流させる還流経路を有することを特徴とする。
【００１１】
空調空気を、空調装置→通気ダクト→各屋内空間→機械室（空調装置）の経路で還流させる循環式の空調システムでは、例えば冷房時において、空調対象となる各屋内空間がある程度冷えていないと（換言すれば目標温度に対して高温過ぎると）、機械室に導入される空気が高温のため、空調装置にて生成される空調空気が冷えにくく、空調装置における冷房の効率が低くなっている。暖房時も同様である。この点、上記のとおり分岐ダクトを介して機械室への空調空気の供給を実施する構成によれば、循環式の空調システムにおいて冷房及び暖房の効率を高めることができる。
【００１２】
第３発明は、前記複数の屋内空間には居室空間と非居室空間とが含まれており、前記居室空間と前記非居室空間とのうち非居室空間に接続される前記通気ダクトに、前記分岐ダクトが接続されていることを特徴とする。
【００１３】
上記構成によれば、建物内の居室空間と非居室空間とのうち非居室空間については、空調（冷暖房）の実施時において一時的に空調空気の供給が制限され、その代わりに機械室への空調空気の供給が行われる。また、居室空間については優先的に空調が実施される。これにより、居室空間について、空間内の温度を冷やす（又は暖める）のに要する時間を短縮することが可能となる。
【００１４】
第４の発明は、前記複数の通気ダクトのうち２以上の屋内空間用の各通気ダクトにそれぞれ前記分岐ダクトが接続され、それら各分岐ダクトの分岐部には前記切替手段がそれぞれ設けられており、それら各切替手段は個別の切替操作が可能となっていることを特徴とする。
【００１５】
上記構成によれば、２以上の屋内空間用の通気ダクトにそれぞれ接続された分岐ダクトから、機械室に空調空気を供給することが可能となっている。この場合、１つの屋内空間用の空調空気を機械室に供給するだけでなく、２以上の屋内空間用の空調空気を機械室に供給することで、機械室内における急速な温度低下（冷房時）又は温度上昇（暖房時）を実現できる。そのため、機械室への空調空気の供給が行われておらず空調空気の供給制限がなされていない屋内空間について、所望の温度環境に迅速に変化させることができる。
【００１６】
また、上記構成では、複数の切替手段について個別に切替操作が可能であるため、機械室への空調空気の供給を行うことで空調空気の供給が制限される屋内空間（優先下位の屋内空間）と制限されない屋内空間（優先上位の屋内空間）とを適宜変更することが可能となる。したがって、例えば、複数の屋内空間について空調の優先上位となる屋内空間がＡ空間からＢ空間に変わったり、優先上位となる屋内空間の数が１つから２つに変わったりしてもそれに対処することが可能となる。
【００１７】
例えば、複数の居室空間のうち１つを空調を最優先で実施する空間とする場合に、その空調最優先の屋内空間だけには空調装置から通気ダクトを介して空調空気を供給し、それ以外の屋内空間については空調空気を供給せず、その代わりに空調空気（本来屋内空間に供給する筈の空調空気）を機械室に供給する構成とするとよい。
【００１８】
第５の発明は、前記通気ダクトを介して前記複数の屋内空間に供給した空調空気を、当該各屋内空間にそれぞれ設けられた通気部を介して還気中継室に取り込むとともに、その還気中継室から前記機械室に還流させる還流経路を有する建物の空調システムであって、前記複数の屋内空間には空調の優先順位があらかじめ定められており、その優先順位が上位となる屋内空間には、前記還気中継室を経由する還流経路が設けられておらず、当該優先上位の屋内空間から前記機械室に空調空気を直接還流させる還流経路が設けられていることを特徴とする。
【００１９】
上記構成によれば、空調の優先順位が上位となる屋内空間について空調空気の還流経路が短縮されており、例えば冷房時にはその屋内空間に供給された冷気が、還気中継室等を通過することで温度上昇してしまうことなく機械室に戻される。また、暖房時にはその屋内空間に供給された暖気が、還気中継室等を通過することで温度低下してしまうことなく機械室に戻される。これにより、空調の優先順位が上位となる屋内空間について冷房時の温度低下や暖房時の温度上昇を一層早めることができる。
【００２０】
例えば、複数の屋内空間のうち空調の優先順位が最上位となる屋内空間だけが、還気中継室を経由する還流経路が設けられておらず、当該優先最上位の屋内空間から機械室に空調空気を直接還流させる還流経路が設けられている構成であってもよい。
【００２１】
第６の発明は、少なくとも前記空調装置による前記複数の屋内空間の空調の開始当初において、前記切替手段を制御対象として、前記空調装置から供給される空調空気を前記分岐ダクト側に流す制御を実施する制御手段を備えることを特徴とする。
【００２２】
上記構成によれば、複数の屋内空間の空調の開始当初において、切替手段が操作され、それにより空調空気を分岐ダクト側に流す制御が実施される。これにより、屋内空間における実温度と目標の温度との温度差が大きくなっていると想定される空調の開始当初において、通気ダクトを介しての空調空気の供給が実施される屋内空間（空調優先度の高い屋内空間）について所望の温度に冷やす（又は暖める）のに要する時間を短縮することが可能となる。
【００２３】
第７の発明は、前記複数の屋内空間における目標温度を設定する目標設定手段と、前記複数の屋内空間の少なくともいずれかに設けられ、該屋内空間内における実温度を検出する温度検出手段と、を備え、前記制御手段は、前記目標設定手段により設定した目標温度と、前記温度検出手段により検出した屋内空間内の実温度との温度差が所定値以上である場合に、前記切替手段を、前記空調空気を前記分岐ダクト側に流す状態とすることを特徴とする。
【００２４】
上記構成によれば、目標温度に対して実温度が大きく乖離している場合において、通気ダクトを介しての空調空気の供給が実施される屋内空間（空調優先度の高い屋内空間）を、所望の温度にいち早く冷やす（又は暖める）ことができる。
【００２５】
また、上記構成においては、空調の開始当初だけでなく、例えばユーザが窓等を開放することで冷房中に屋内空間の温度が急上昇する場合や、暖房中に屋内空間の温度が急低下する場合にも同様に、目標温度と実温度との温度差に基づいて、切替手段が、空調空気を分岐ダクト側に流す状態に一時的に制御される。これにより、空調の開始当初以外にあっても、通気ダクトを介しての空調空気の供給が実施される屋内空間（空調優先度の高い屋内空間）を、所望の温度にいち早く冷やす（又は暖める）ことができる。
【００２６】
第８の発明は、前記複数の屋内空間における目標温度を設定する目標設定手段と、前記複数の屋内空間の少なくともいずれかに設けられ、該屋内空間内における実温度を検出する温度検出手段と、前記空調装置による前記複数の屋内空間の空調の開始時において、前記目標設定手段により設定した目標温度と、前記温度検出手段により検出した屋内空間内の実温度との温度差に基づいて、前記切替手段を、前記空調空気を前記分岐ダクト側に流す状態とする操作時間を設定する設定手段と、を備え、前記制御手段は、前記設定手段により設定した操作時間に基づいて、前記切替手段を、前記空調空気を前記分岐ダクト側に流す状態とすることを特徴とする。
【００２７】
上記構成によれば、空調の開始当初において、目標温度と屋内空間内の実温度との温度差が大きい場合と、小さい場合とで、空調空気を分岐ダクト側に流す状態とされる時間（操作時間）が各々異なる時間で設定される。なお、例えば、目標温度と屋内空間内の実温度との温度差が大きいほど、操作時間を長くするとよい。また、目標温度と屋内空間内の実温度との温度差が所定値（例えば５℃）以下なら、操作時間＝０として空調空気を分岐ダクト側に流す状態としないようにしてもよい。
【００２８】
これにより、必要に応じて空調空気を分岐ダクトを介して機械室に供給でき、空調が優先される屋内空間とそうでない屋内空間との両方について空調空気の供給を好適に操作し、ひいては建物全体としての空調を最適化できる。
【００２９】
第９の発明は、前記複数の屋内空間についてそれら各屋内空間での人の有無を検出する人検出手段を備え、前記制御手段は、前記人検出手段により人有りと検出された屋内空間を、前記機械室への空調空気の供給に伴う空調空気の供給制限が行われない非制限空間とするとともに、前記人検出手段により人無しと検出された屋内空間を、前記機械室への空調空気の供給に伴う空調空気の供給制限が行われる制限空間とし、その制限空間について、前記切替手段を、前記空調空気を前記分岐ダクト側に流す状態とすることを特徴とする。
【００３０】
上記構成によれば、人のいる屋内空間と人のいない屋内空間とを区別し、その前者について空調空気の供給を制限なく実施し（優先的に空調を実施し）、後者について空調空気の供給を制限するといった態様の空調制御を実施できる。これにより、現実に建物内にいる人にとって最適な空調を実現できる。
【図面の簡単な説明】
【００３１】
【図１】建物空調システムの概要を示す図。
【図２】温度偏差ΔＴと実施時間ＫＴとの関係を示す図。
【図３】空調装置の運転開始時における一連の挙動を説明するためのタイムチャート。
【図４】別の実施形態において建物空調システムの概要を示す図。
【図５】別の実施形態において建物空調システムの概要を示す図。
【図６】別の実施形態において建物空調システムの概要を示す図。
【発明を実施するための形態】
【００３２】
以下、本発明を具体化した一実施形態を図面に基づいて説明する。図１は、本実施形態における建物空調システムの概要を示す図である。なお本実施形態では、本発明の空調システムを平屋建物に適用した事例を説明するが、適用される建物は多層階建物であってもよく、また、戸建て建物でも集合住宅の建物であってもよい。
【００３３】
図１において、建物１０は、複数の屋内空間として、居室１１，１２と非居室１３とを備えている。例えば、居室１１はリビングであり、居室１２は和室であり、非居室１３は脱衣室である。これら各屋内空間は、同一階において互いに間仕切壁により仕切られた状態で配置されている。また、これら各室１１〜１３は、それぞれ廊下１４に隣り合う空間として設けられている。
【００３４】
また、建物１０には、上記各室１１〜１３及び廊下１４以外の空間として機械室１５が設けられている。機械室１５は廊下１４に隣り合う空間として設けられている。機械室１５は、本空調システムの熱源機となる空調装置２１を設置するための設置スペースとなっており、例えば四方の壁部や、床部、天井部により囲まれた直方体状の空間であって、廊下１４側の壁部に設けられたメンテナンス用開口部を通じてアクセス可能となっている。機械室１５は、各室１１〜１３に比べてその体積（室容積）が小さい小体積空間となっている。なお、機械室１５の床〜天井の高さは、各室１１〜１３と同じであってもよいし、例えば機械室１５の上方又は下方に物品等の収納部が形成されることで、各室１１〜１３よりも小さくなっていてもよい。
【００３５】
本建物１０には、空調装置２１を具備して構成される全館空調システムが導入されている。本全館空調システムでは、同一階に設けられる各室１１〜１３を空調対象とし、それら各室１１〜１３に対して共通の空調装置２１より空調空気を供給することで、各室１１〜１３の冷房及び暖房を行うこととしている。本空調システムは、室内機、室外機及び冷媒配管を基本構成として備え、室内機においては冷媒と周囲空気との熱のやりとり（熱交換）により空調空気を生成するようにしている。以下、この空調システムの詳細な構成について説明する。
【００３６】
空調装置２１は、少なくとも冷房及び暖房の各機能を有する室内機として構成されており、機械室１５内の空気を取り込むとともに、その取り込んだ空気により、都度の空調要求に応じた空調空気を生成する。このとき、冷房時であれば冷房空気（冷気）を生成し、暖房時であれば暖房空気（暖気）を生成する。空調装置２１により生成された空調空気は、複数の給気系統を通じて各室１１〜１３に対してそれぞれ供給されるようになっている。
【００３７】
給気系統について具体的には、空調装置２１の吐出口側には、空調装置２１から吐出される空調空気を導入するチャンバ２２が設けられ、そのチャンバ２２に、複数の通気ダクト２３ａ，２３ｂ，２３ｃ，２３ｄ，２３ｅが接続されている。これらの通気ダクト２３ａ〜２３ｅは、空調装置２１にて生成される空調空気を給気ＳＡとして各室１１〜１３に供給する給気用配管であり、本実施形態ではこれら各通気ダクト２３ａ〜２３ｅが床下部分に設けられている。各室１１〜１３の床部には吹出口２４が設けられており、その吹出口２４に通気ダクト２３ａ〜２３ｅがそれぞれ接続されている。居室１１に対しては通気ダクト２３ａ，２３ｂを介して給気ＳＡが供給され、居室１２に対しては通気ダクト２３ｃ，２３ｄを介して給気ＳＡが供給され、非居室１３に対しては通気ダクト２３ｅを介して給気ＳＡが供給されるようになっている。この場合、空調装置２１の冷房運転時には各室１１〜１３に冷気が供給され、その冷気によって各室１１〜１３が冷やされる。一方、空調装置２１の暖房運転時には各室１１〜１３に暖気が供給され、その暖気によって各室１１〜１３が暖められる。
【００３８】
ただし、通気ダクト２３ａ〜２３ｅの設置場所は床下部分に限らず、天井部分（小屋裏部分）であってもよい。また、各室１１〜１３に対する通気ダクトの本数も適宜変更可能である。チャンバ２２についても、床下部分に設置される以外に、機械室１５に設けられる構成であってもよい。
【００３９】
また、本実施形態では、空調システムとして循環式の空調システムを採用している。この空調システムでは、各室１１〜１３の空気が還気ＲＡとして機械室１５に取り込まれるようになっており、空調装置２１は、各室１１〜１３からの還気ＲＡを使って空調空気を生成するものとなっている。より具体的には、各室１１〜１３の出入り口（開口部）に設けられたドアのアンダカットやガラリ等が、各室１１〜１３の通気部１１ａ，１２ａ，１３ａ（還気口）となっているとともに、機械室１５のメンテナンス用開口部に設けられたドアのアンダカットやガラリ等が、機械室１５の通気部１５ａ（還気口）となっている。この場合、これら各通気部１１ａ〜１３ａ，１５ａによって、各室１１〜１３や機械室１５がそれぞれ還気中継室としての廊下１４に通じている。かかる構成では、機械室１５には、屋内を循環する空気が還気ＲＡとして取り込まれ、空調装置２１は、その取り込まれた空気（還気ＲＡ）から熱を奪うことで冷気を生成する一方、その空気に熱を付加することで暖気を生成する。
【００４０】
ところで、本空調システムでは、空調対象となる各室１１〜１３について空調の優先順位を定めており、居室１１，１２については優先上位、非居室１３については優先下位としている。そして、複数の通気ダクト２３ａ〜２３ｅのうち、空調優先下位である非居室１３に接続される通気ダクト２３ｅを使って、空調装置２１から供給される空調空気を、非居室１３に供給することなく機械室１５に還流させる構成としている。その構成について具体的には、通気ダクト２３ｅには、その中間部分に分岐ダクト２６が接続されている。分岐ダクト２６は、一端が通気ダクト２３ｅに、他端が機械室１５の吹出口２７にそれぞれ接続されるものであり、この分岐ダクト２６によって、空調装置２１から供給される空調空気（チャンバ２２内の空調空気）を機械室１５に対して供給可能となっている。また、通気ダクト２３ｅと分岐ダクト２６との分岐部には切替手段としての分岐弁２８が設けられている。分岐弁２８は、例えば電気駆動式の三方弁よりなり、この分岐弁２８により、空調装置２１から供給される空調空気を分岐ダクト２６側に流すか流さないかが切り替え可能となっている。
【００４１】
分岐弁２８は、空調装置２１から供給される空調空気を分岐ダクト２６側に流さない状態、すなわち空調空気を非居室１３に供給する状態を初期状態とするものであり、分岐弁２８に対して電気的な駆動信号が出力されることで、分岐弁２８が駆動状態となり、空調装置２１から供給される空調空気を分岐ダクト２６側に流す状態に移行するようになっている。
【００４２】
また、本空調システムは、制御系の構成として、居室１１，１２内の温度を検出する温度センサ３１と、ユーザによって温度や風量等の設定操作が行われる操作装置３２と、これら温度センサ３１や操作装置３２からの入力結果に基づいて空調に関する各種制御を実施する制御装置３３とを備えている。なお、温度センサ３１は、各室１１〜１３のうちいずれかに設けられていればよく、居室１１，１２の両方に設けられるのに代えて、居室１１，１２のいずれにのみ設けられていたり、非居室１３にも設けられていたりしてもよい。
【００４３】
制御装置３３は、ＣＰＵや各種メモリを有する周知のマイクロコンピュータを具備するものであり、温度センサ３１による室温の検出結果や、操作装置３２による温度設定値等に基づいて、空調装置２１と分岐弁２８とを制御対象としてこれらについての制御を実施する。
【００４４】
この場合、空調装置２１の制御としては、例えば運転のオン／オフ操作のためのメインスイッチがオンになることで冷房又は暖房の空調制御が開始され、制御装置３３は、冷房又は暖房の設定温度（目標温度）と、温度センサ３１により検出した居室１１，１２の実温度との偏差に基づいて、空調装置２１の運転負荷を決定するとともに、その運転負荷に応じて冷気又は暖気の生成と送風とを実施する。なお、各居室１１，１２で実温度が異なる場合には、目標温度との偏差が大きい方の実温度を用いて空調制御を実施するとよい。
【００４５】
また、分岐弁２８の制御としては、制御装置３３は、空調制御の開始当初において分岐弁２８を操作して、一時的に、空調装置２１から供給される空調空気を分岐ダクト２６側に流す状態（すなわち空調空気を非居室１３に供給しない状態）とする。このとき、分岐弁２８を、空調空気を分岐ダクト２６側に流す状態に操作するための制御手法としては、以下の手法が考えられる。
【００４６】
（１）制御装置３３は、空調制御の開始時において、図２の関係を用い、設定温度と実温度との偏差ΔＴ（開始時温度偏差）を算出するとともに、その温度偏差ΔＴに基づいて、空調空気を分岐ダクト２６側（すなわち機械室１５側）に流す期間である実施時間ＫＴを設定する。そして、空調制御の開始からその実施時間ＫＴが経過するまでの期間において、分岐弁２８を、空調空気を分岐ダクト２６側に流す状態に操作する。ここで、図２によれば、温度偏差ΔＴが所定値ＴＡ（例えば５℃）以下となる場合に、実施時間ＫＴ＝０に設定される。これは温度偏差ΔＴが比較的小さい場合に、分岐弁２８を、空調空気を分岐ダクト２６側に流す状態に操作しないことを意味する。また、ΔＴ＞ＴＡの領域では、温度偏差ΔＴが大きいほど、実施時間ＫＴとして大きい値が設定されるようになっている。
【００４７】
（２）制御装置３３は、空調制御の開始後において設定温度と実温度との偏差ΔＴを逐次算出し、その温度偏差ΔＴが所定値ＴＢ（例えば５℃）以上であれば、分岐弁２８を、空調空気を分岐ダクト２６側（すなわち機械室１５側）に流す状態に操作し、その後、温度偏差ΔＴが所定値ＴＢ（例えば５℃）以下となった場合に、分岐弁２８を、空調空気を分岐ダクト２６側に流す状態から、流さない状態に切り替え操作する。かかる構成では、例えば、冷房開始後において居室１１の温度が設定温度に次第に近づく場合に、その温度偏差ΔＴが所定値ＴＢ以下となった時点で、分岐弁２８が、空調空気を分岐ダクト２６側に流す状態から、流さない状態に切り替えられることとなる。なお、本構成において、空調制御の開始時点でΔＴ＜ＴＢであれば、その開始当初から、分岐弁２８が、空調空気を分岐ダクト２６側に流さない状態に保持されることとなる。
【００４８】
図３は、空調装置２１の運転開始時における一連の挙動を説明するタイムチャートである。図３では、夏季において冷房を実施する場合を想定しており、例えば冷房の設定温度が２６℃、運転開始前の居室温度が３５℃であるとしている。なお、図３中の居室温度において、実線は、冷房実施時において冷気の一部を分岐ダクト２６により機械室１５に還流させる場合（本空調システムの場合）の温度変化を示し、一点鎖線は、冷気の一部を分岐ダクト２６により機械室１５に還流させることのない場合（従来システムの場合）の温度変化を示している。
【００４９】
図３において、タイミングｔ１で空調装置２１の運転が開始されると、同タイミングｔ１で居室１１，１２に対して冷気の供給が開始される。また、タイミングｔ１では、分岐弁２８＝駆動状態（ＯＮ）となることで、分岐弁２８が、冷気を分岐ダクト２６側に流す状態となるため、非居室１３に対しては冷気の供給が開始されない。この場合、通気ダクト２３ａ〜２３ｄを介して各居室１１，１２に冷気が供給されて各居室１１，１２が冷やされるのに並行して、すなわちこれと同時期に、分岐ダクト２６を介して機械室１５に冷気が供給されて機械室１５が冷やされる。
【００５０】
こうして機械室１５に冷気が供給されている状態では、空調装置２１において冷気を効率よく冷やすことができ、居室温度の低下の傾きが従来システム（一点鎖線）に比べて大きくなる。この場合、空調装置２１における冷房効率自体が高められているため、冷気の風量を大きくしなくても、冷気の供給先である居室１１，１２に関して冷房能力が高められている。
【００５１】
非居室１３については冷房の開始当初において冷房が実施されないが、この非居室１３は例えば脱衣室であり、住人の利用頻度が低いことを考えると、支障は生じないと考えられる。
【００５２】
そして、タイミングｔ２では、分岐弁２８＝非駆動状態（ＯＦＦ）となることで、分岐弁２８が、冷気を分岐ダクト２６側に流さない状態となるため、分岐ダクト２６を介しての機械室１５への冷気の供給が停止される。また、通気ダクト２３ｅを介しての非居室１３への冷気の供給が開始される。タイミングｔ２以降は、通気ダクト２３ａ〜２３ｅを介して各室１１〜１３のそれぞれに冷気が供給されることになり、各室１１〜１３のそれぞれが冷房される。
【００５３】
タイミングｔ２は、例えば、冷房開始から、図２の関係に基づいて算出した実施時間ＫＴが経過したタイミングであり、これは冷房開始時における設定温度と居室１１の実温度との偏差ΔＴ（開始時温度偏差）に基づくタイミングとなっている（上記（１）参照）。
【００５４】
又は、タイミングｔ２は、冷房開始後において設定温度と実温度との偏差ΔＴが次第に小さくなり、その温度偏差ΔＴが所定値ＴＢ（例えば５℃）未満となるタイミングである（上記（２）参照）。
【００５５】
上記のように空調制御を実施することにより、居室１１，１２について優先的に冷房が実施される。これにより、従来システム（一点鎖線）に比べて、冷房開始後において居室１１，１２の実温度が冷房設定温度に到達するまでに要する時間が短縮されるようになっている。
【００５６】
ちなみに、空調として暖房が実施される場合も同様であり、その暖房の開始当初においては、分岐弁２８＝駆動状態（ＯＮ）となり、通気ダクト２３ａ〜２３ｄを介して各居室１１，１２に暖気が供給されて各居室１１，１２が暖められるのに並行して、すなわちこれと同時期に、分岐ダクト２６を介して機械室１５に暖気が供給されて機械室１５が暖められる。かかる状態では、空調装置２１において暖気を効率よく暖めることができ、居室温度の上昇の傾きが従来システムに比べて大きくなる。この場合、空調装置２１における暖房効率自体が高められているため、暖気の風量を大きくしなくても、暖気の供給先である居室１１，１２に関して暖房能力が高められている。そして、分岐弁２８＝非駆動状態（ＯＦＦ）となることで、機械室１５への暖気の供給が停止されるとともに、通気ダクト２３ｅを介して非居室１３への暖気の供給が開始される。これ以降、通気ダクト２３ａ〜２３ｅを介して各室１１〜１３のそれぞれに暖気が供給されることになり、各室１１〜１３のそれぞれが暖房される。
【００５７】
以上詳述した本実施形態によれば、以下の優れた効果が得られる。
【００５８】
複数の通気ダクト２３ａ〜２３ｅのうち通気ダクト２３ｅに分岐ダクト２６を接続するとともに、その分岐ダクト２６の分岐部に分岐弁２８を設け、空調装置２１による各室１１〜１３の空調の実施時において、通気ダクト２３ａ〜２３ｄ（２３ｅ以外の通気ダクト）を介しての居室１１，１２への空調空気の供給に並行して、分岐ダクト２６を介しての機械室１５への空調空気の供給を実施する構成とした。これにより、空調の優先度が高い居室１１，１２を所望の温度に速やかに冷やす（又は暖める）ことが可能となる。すなわち、建物１０内において空調優先したい空間がある場合に、その空間を速やかに空調できる。この場合、空調空気の風量を大きくしなくても、すなわち風量一定としたままで、各居室１１，１２について所望の空調を実現できる。また、空調空気を分岐ダクト２６側に流すか流さないかを分岐弁２８により切り替えられるようにしたため、各室１１〜１３の全てについて同等性能の空調を実施することも可能となる。以上により、複数の屋内空間を空調対象とする空調システムにおいて屋内空間の空調を好適に実施することができる。
【００５９】
上記構成では、空調空気の供給が制限なく実施される屋内空間（本実施形態では居室１１，１２）と、機械室１５に空調空気が供給されることで空調空気の供給が制限される屋内空間（本実施形態では非居室１３）とで相互に温度差が生じることになるが、建物１０として住宅を想定した場合、全ての屋内空間をいつも同等に冷房又は暖房する必要はない。そのため、各屋内空間において相互に温度が生じたとしても、それが一時的なものであれば実質的な問題は生じない。
【００６０】
また、上記のとおり空調空気の風量を大きくしなくても所望の空調を実現できるため、風量アップのための電力消費が不要となり、省エネの観点からも好ましい構成であると言える。さらに、特に高気密住宅の場合、屋内空間における空調空気の風量を大きくすると、その屋内空間が正圧となり、出入口部の扉を開閉する際に、扉が勢いよく閉まったり、扉を開けるのが困難になったりすることが懸念される。しかしながら、本実施形態の上記構成によれば、こうした不都合を抑制できる。
【００６１】
空調システムとして循環式の空調システムを採用し、各通気ダクト２３ａ〜２３ｅを介して各室１１〜１３に供給した空調空気を、各室１１〜１３と機械室１５とにそれぞれ設けられた通気部１１ａ〜１３ａ，１５ａを介して機械室１５に還流させるようにした。すなわち、空調空気を、空調装置２１→通気ダクト２３ａ〜２３ｅ→各室１１〜１３→機械室１５（空調装置２１）の経路で還流させるようにした。この循環式の空調システムでは、例えば冷房時において、空調対象となる各室１１〜１３がある程度冷えていないと（換言すれば目標温度に対して高温過ぎると）、機械室１５に導入される空気が高温のため、空調装置２１にて生成される空調空気が冷えにくく、空調装置２１における冷房の効率が低くなっている。暖房時も同様である。この点、上記のとおり分岐ダクト２６を介して機械室１５への空調空気の供給を実施する構成によれば、循環式の空調システムにおいて冷房及び暖房の効率を高めることができる。
【００６２】
制御装置３３により、少なくとも空調装置２１による空調の開始当初において、分岐弁２８を制御対象として、空調装置２１から供給される空調空気を分岐ダクト２６側に流す制御を実施する構成とした。これにより、その空調の開始当初において、分岐弁２８が操作され、それにより空調空気を分岐ダクト２６側に流す制御が実施される。これにより、居室１１，１２における実温度と目標温度との温度差が大きくなっていると想定される空調の開始当初において、その居室１１，１２（空調優先度の高い屋内空間）について所望の温度に冷やす（又は暖める）のに要する時間を短縮することが可能となる。
【００６３】
居室１１，１２の目標温度と実温度との温度差が所定値以上である場合に、分岐弁２８を、空調空気を分岐ダクト２６側に流す状態とするようにした（上記（２）の構成）。したがって、目標温度に対して実温度が大きく乖離している場合において、居室１１，１２（空調優先度の高い屋内空間）を、所望の温度にいち早く冷やす（又は暖める）ことができる。また、空調の開始当初だけでなく、例えばユーザが窓等を開放することで冷房中に居室１１，１２の温度が急上昇する場合や、暖房中に居室１１，１２の温度が急低下する場合にも同様に、目標温度と実温度との温度差に基づいて、分岐弁２８を、空調空気を分岐ダクト２６側に流す状態に一時的に制御することができる。これにより、空調の開始当初以外にあっても、居室１１，１２（空調優先度の高い屋内空間）を、所望の温度にいち早く冷やす（又は暖める）ことができる。
【００６４】
空調装置２１による空調の開始時において、居室１１，１２の目標温度と実温度との温度差に基づいて、分岐弁２８を、空調空気を分岐ダクト２６側に流す状態とする実施時間ＫＴ（操作時間）を設定するとともに、その実施時間ＫＴに基づいて、分岐弁２８を、空調空気を分岐ダクト２６側に流す状態とするようにした（上記（１）の構成）。したがって、空調の開始当初において、居室１１，１２の目標温度と実温度との温度差が大きい場合と、小さい場合とで、空調空気を分岐ダクト２６側に流す状態とされる時間（実施時間ＫＴ）が各々異なる時間で設定される。これにより、必要に応じて空調空気を分岐ダクト２６を介して機械室１５に供給でき、空調が優先される屋内空間とそうでない屋内空間との両方について空調空気の供給を好適に操作し、ひいては建物全体としての空調を最適化できる。
【００６５】
［他の実施形態］
本発明は上記実施形態の記載内容に限定されず、例えば次のように実施されてもよい。
【００６６】
・複数の通気ダクト２３ａ〜２３ｅのうち２以上の屋内空間用の各通気ダクトにそれぞれ分岐ダクト２６が接続され、それら各分岐ダクト２６の分岐部には切替手段としての分岐弁２８がそれぞれ設けられており、それら各分岐弁２８は個別の切替操作が可能となっている構成としてもよい。
【００６７】
具体的には、空調対象となる各室１１〜１３について、居室１１を空調の優先最上位としている。そして、図４に示すように、居室１１以外の屋内空間（居室１２，非居室１３）に接続される通気ダクト２３ｃ，２３ｅを使って、空調装置２１から供給される空調空気を、居室１２及び非居室１３に供給することなく機械室１５に還流させる構成としている。すなわち、図１と同様、通気ダクト２３ｅには、その中間部分に分岐ダクト２６ａが接続されており、通気ダクト２３ｅと分岐ダクト２６ａとの分岐部に分岐弁２８ａが設けられている。また、通気ダクト２３ｃには、その中間部分に分岐ダクト２６ｂが接続されており、通気ダクト２３ｃと分岐ダクト２６ｂとの分岐部に分岐弁２８ｂが設けられている。各分岐弁２８ａ，２８ｂは個別の切替操作（例えば制御装置３３による操作）が可能であり、各分岐弁２８ａ，２８ｂにより、空調装置２１から供給される空調空気を分岐ダクト２６ａ，２６ｂ側に流すか流さないかが切り替え可能となっている。なお、屋内空間の数がより多い建物を想定すれば、３以上の屋内空間用の通気ダクトにそれぞれ分岐ダクト２６及び分岐弁２８を設ける構成であってもよい。
【００６８】
上記構成において、例えば空調の開始当初には、空調最優先の居室１１だけに空調装置２１から空調空気が供給され、それ以外の居室１２及び非居室１３については空調空気が供給されず、その代わりに空調空気（本来屋内空間に供給する筈の空調空気）が機械室１５に供給される。
【００６９】
上記構成によれば、２以上の屋内空間用の通気ダクトにそれぞれ接続された分岐ダクト２６から、機械室１５に空調空気を供給することが可能となっている。この場合、１つの屋内空間用の空調空気を機械室１５に供給するだけでなく、２以上の屋内空間用の空調空気を機械室１５に供給することで、機械室１５内における急速な温度低下（冷房時）又は温度上昇（暖房時）を実現できる。そのため、機械室１５への空調空気の供給が行われておらず、空調空気の供給制限がなされていない屋内空間について所望の温度環境に迅速に変化させることができる。
【００７０】
また、複数の分岐弁２８について個別に切替操作が可能であるため、空調の優先上位とする屋内空間を、居室１１から居室１１＆１２に変更したり、非居室１３を優先上位としたりすることが可能となる。
【００７１】
なお、各分岐弁２８ａ，２８ｂを、個別の切替操作が可能な構成とする以外に、同一の駆動機構によりまとめて駆動できる構成とすることも可能である。
【００７２】
・建物１０内の各室１１〜１３には、各々に供給された空調空気を機械室１５に還流させる還流経路がそれぞれ設けられているが、そのうち空調の優先下位となる居室１２及び非居室１３については、これら各室１２，１３から還気中継室としての廊下１４を経由して機械室１５に還流させる還流経路が設けられるのに対し、空調の優先上位となる居室１１については、廊下１４を経由せず、その居室１１から機械室１５に直接還流させる還流経路が設けられるようにしてもよい。具体的には、図５に示すように、居室１１と機械室１５とを仕切る壁部に通気部１１ａが形成されており、その通気部１１ａを介して居室１１から機械室１５に空調空気が直接還流されるようになっている。
【００７３】
上記構成によれば、空調の優先上位となる居室１１について空調空気の還流経路が短縮されており、例えば冷房時にはその居室１１に供給された冷気が、廊下１４を通過することで温度上昇してしまうことなく機械室１５に戻される。また、暖房時にはその居室１１に供給された暖気が、廊下１４を通過することで温度低下してしまうことなく機械室１５に戻される。これにより、空調の優先上位となる居室１１について冷房時の温度低下や暖房時の温度上昇を一層早めることができる。
【００７４】
なお、居室１１だけについて空調空気が機械室１５に直接還流される構成以外に、居室１１及び居室１２について空調空気が機械室１５に直接還流される構成であってもよい。
【００７５】
・上記実施形態では、分岐弁２８を、空調空気を分岐ダクト２６側に流す状態に操作する期間が、制御装置３３により毎回決定される構成としたが、これを変更し、当該期間を、あらかじめ定めた一定時間（例えば１０分、又は２０分など）とする構成であってもよい。
【００７６】
・分岐弁２８は、電気駆動式のものに限られず、手動式のものであってもよい。つまり、ユーザが分岐弁２８を手動操作することによって、空調装置２１から供給される空調空気を分岐ダクト２６側に流すか流さないかが切り替えられる構成であってもよい。
【００７７】
・上記実施形態では、分岐弁２８を、空調空気を分岐ダクト２６側に流す状態と流さない状態との２状態で切り替えるものとしたが、これを以下のように変更してもよい。例えば、分岐弁２８を、空調空気を分岐ダクト２６側に流す状態と流さない状態とで切り替え可能とし、かつ空調空気を分岐ダクト２６側に流す状態においてその分岐ダクト２６側への空気流量を調整できるようにする。つまりこの場合、分岐弁２８は、その弁開度を中間開度で調整可能であり、空調装置２１からの空調空気を、
（ａ）屋内空間（例えば非居室１３）だけに供給する状態、
（ｂ）機械室１５だけに供給する状態、
（ｃ）屋内空間（例えば非居室１３）及び機械室１５の両方に供給する状態、
のいずれかに切り替えられるものとなっている。
【００７８】
上記（ｃ）に関して、例えば、通気ダクト２３ｅを通じて流れる空調空気のうち、
（ｃ−１）２５％を非居室１３に、残り７５％を機械室１５に供給する状態としたり、
（ｃ−２）５０％を非居室１３に、残り５０％を機械室１５に供給する状態としたり、
（ｃ−３）７５％を非居室１３に、残り２５％を機械室１５に供給する状態としたりして、配分の比率を可変にするとよい。こうした切替は、ユーザの手動操作により実施されてもいいし、制御装置３３の制御により実施されてもよい。その後者の場合、制御装置３３は、機械室１５をどの程度冷やすのか（又は暖めるのか）に応じて分岐弁２８の弁開度を制御すればよく、各室１１〜１３における空調の優先度の兼ね合いや、目標温度と実温度との温度差に応じて弁開度が適宜調整されるとよい。例えば、居室１１の目標温度と実温度との温度差が比較的大きければ上記（ｃ−１）とし、その温度差が比較的小さければ上記（ｃ−３）とする。
【００７９】
・上記実施形態では、脱衣室を非居室１３としたが、これに代えて、トイレを非居室１３としてもよい。また、空調対象としての複数の屋内空間として、非居室空間を含まない構成としてもよい。この場合、建物において複数の居室空間を空調対象とし、その複数の居室空間のうち少なくともいずれかについて、上記のとおり分岐ダクトや分岐弁を設ける構成とする。
【００８０】
・複数の屋内空間（空調対象）である各室１１〜１３における人の有無に応じて、各室１１〜１３のうちどこの空調を優先するかを決定するようにしてもよい。具体的には、図６に示すように、各室１１〜１３にそれぞれ接続される通気ダクト２３ｂ，２３ｃ，２３ｅに分岐ダクト２６が接続されるとともに、各通気ダクト２３と各分岐ダクト２６との分岐部にそれぞれ分岐弁２８が設けられている。また、各室１１〜１３にはそれぞれ人感センサ３５が設けられ、それら各人感センサ３５の検出結果が制御装置３３に逐次入力される。制御装置３３は、各人感センサ３５の検出結果に基づいて、各室１１〜１３のうちどこに在室者がいるかを判定する。また、制御装置３３は、空調制御の実施に際し、在室者有りと判定された屋内空間を、機械室１５への空調空気の供給に伴う空調空気の供給制限が行われない屋内空間（優先的に空調が行われる屋内空間）とするとともに、在室者無しと検出された屋内空間を、機械室１５への空調空気の供給に伴う空調空気の供給制限が行われる屋内空間として、各分岐弁２８を制御する。
【００８１】
例えば、居室１２で人有りと検出され、かつ居室１１及び非居室１３で人無しと検出された場合、居室１２での空調が優先的に実施される。したがって、居室１２については空調空気が供給制限されることなく通気ダクト２３ｃ，２３ｄを介して供給されるのに対し、居室１１及び非居室１３についてはこれら各空間に供給される筈の空調空気の全て又は一部が、分岐ダクト２６を介して機械室１５に供給されることとなる。
【００８２】
上記構成によれば、人のいる屋内空間と人のいない屋内空間とを区別し、その前者について空調空気の供給を制限なく実施し（優先的に空調を実施し）、後者について空調空気の供給を制限するといった態様の空調制御を実施できる。これにより、現実に建物１０内にいる人にとって最適な空調を実現できる。
【００８３】
・上記実施形態では、本発明を循環式の空調システムにおいて具体化したが、これを変更し、本発明を循環式でない空調システムに具体化することも可能である。かかる場合においても、上記同様、屋内空間の空調を好適に実施することができる。
【００８４】
・本発明を、冷房のみを実施する空調システム、又は暖房のみを実施する空調システムとして具体化することも可能である。
【符号の説明】
【００８５】
１０…建物、１１，１２…居室（屋内空間）、１３…非居室（屋内空間）、１４…廊下（還気中継室）、１５…機械室、２１…空調装置、２３ａ〜２３ｅ…通気ダクト、２６…分岐ダクト、２８…分岐弁（切替手段）、３１…温度センサ（温度検出手段）、３３…制御装置（制御手段、目標設定手段）、３５…人感センサ（人検出手段）。
【図１】
0005871611.tif 000002
【図２】
0005871611.tif 000003
【図３】
0005871611.tif 000004
【図４】
0005871611.tif 000005
【図５】
0005871611.tif 000006
【図６】
0005871611.tif 000007